(57)【要約】  飲料自動販売機（１）は、外側からアクセスでき且つ飲料混合ステーション（１４）を有するピックアップコンパートメント（５）と、ピックアップコンパートメント（５）に面する固定位置で混合ステーション（１４）に配置された少なくとも１つの出口（１５）を有する飲料取出し手段（１６）と、カップ（７）を出口（１５）の下の位置に供給するための第１部材（１７）と、出口（１５）を通り越し且つ第１部材（１７）に関して、出口（１５）をピックアップコンパートメント（５）から分離する位置へ及び該位置から移動できる第２部材（４２）とを有する。【選択図】図１
2011522311.tif 000002
【特許請求の範囲】
【請求項１】
外側からアクセスでき且つ飲料混合ステーション（１４）を有するピックアップコンパートメント（５）と、前記ピックアップコンパートメント（５）に面する固定位置で前記混合ステーション（１４）に配置された少なくとも１つの出口（１５）を有する飲料取出し手段（１６）と、カップ（７）を前記出口（１５）の下の位置に供給するための第１部材（１７）と、を含む飲料自動販売機において、前記自動販売機（１）は、前記出口（１５）を保護するための保護部材であり、且つ、前記出口（１５）を通り越し且つ前記第１部材（１７）に関して、前記出口（１５）を前記ピックアップコンパートメント（５）から分離するカットオフ位置へ及びカットオフ位置から移動できる第２部材（４２）を含む、ことを特徴とする、飲料自動販売機。
【請求項２】
駆動装置（１８）と、前記第２部材（４２）を前記カットオフ位置へ及びカットオフ位置から移動させるために、前記駆動装置（１８）と前記第２部材（４２）との間に介在された伝動手段（３１）とを含む、請求項１に記載の飲料自動販売機。
【請求項３】
前記伝動手段（３１）はカム伝動手段である、請求項２に記載の飲料自動販売機。
【請求項４】
前記駆動装置（１８）は、第１軸線（２３）を中心に回転する出力シャフト（２２）を含み、前記第２部材（４２）は、前記第１軸線（２３）に平行な第２軸線（２５）を中心に回転し、前記伝動手段（３１）は、前記シャフト（２２）に取付けられた第１カム（４６）と、前記第２部材（４２）と一体で且つ前記第２部材（４２）を、前記第１軸線（２３）を中心とする前記第１カム（４６）の角度位置の関数として、前記第２軸線（２５）を中心に、前記カットオフ位置へ及び前記カットオフ位置から移動させるために前記第１カム（４６）と共動する第１カムフォロワー（４７）とを含む、請求項３に記載の飲料自動販売機。
【請求項５】
前記第１部材（１７）は、１度に１つのカップ（７）を前記出口（１５）の下の位置に供給するために、前記ピックアップコンパートメント（５）の内部で、前記混合ステーション（１４）へ及び前記混合ステーション（１４）から移動できる、請求項１乃至４の何れか１項に記載の飲料自動販売機。
【請求項６】
前記第１部材（１７）は、前記第２軸線（２５）を中心に回転し、前記伝動手段（３１）は、前記シャフト（２２）に取付けられた第２カム（３２）と、前記第１部材（１７）を、前記第１軸線（２３）を中心とする前記第２カム（３２）の角度位置の関数として、前記第２軸線（２５）を中心に、前記混合ステーション（１４）とカップ受入れステーション（１３）の間を移動させるように、前記第１部材（１７）と一体の第２カムフォロワー（３３）とを含む、請求項４及び５に記載の飲料自動販売機。
【請求項７】
前記ピックアップコンパートメント（５）は、第１開口（１２）を有する頂壁（１０）を含み、前記出口（１５）は第１開口（１２）を通して前記ピックアップコンパートメント（５）と連通し、前記第２部材（４２）は、前記第１開口（１２）を閉じる閉位置へ及び閉位置から移動でき、請求項１乃至６の何れか１項に記載の飲料自動販売機。
【請求項８】
前記第２部材（４２）は、前記第１開口（１２）よりも大きく、且つ前記頂壁（１０）と実質的に平行な平面で、閉位置へ及び閉位置から移動できる閉鎖体（４３）を含む、請求項７に記載の飲料自動販売機。
【請求項９】
前記閉鎖体（４３）は、カップ形であり、且つ取出し操作が完了すると、前記出口（１５）から出るいかなる物質をも収集するためのトレイ（４９）を画成するために、凹面が前記出口（１５）に面して位置決めされ、前記トレイ（４９）は前記収集された物質を排出するための貫通穴（５０）を有する、請求項８に記載の飲料自動販売機。
【請求項１０】
前記第２部材（４２）は、前記頂壁（１０）の前記ピックアップコンパートメント（５）と反対側に配置される、請求項７乃至９の何れか１項に記載の飲料自動販売機。
【請求項１１】
前記ピックアップコンパートメント（５）は、前記カップ（７）を前記ピックアップコンパートメント（５）にアクセス可能にするアクセス開口（１１）を含み、前記自動販売機（１）は、前記アクセス開口（１１）を閉じる閉位置へ及び閉位置から移動できる第３部材（３４）を含む、請求項１乃至１０の何れか１項に記載の飲料自動販売機。
【請求項１２】
前記アクセス開口（１１）は、前記頂壁（１０）に形成された第２開口である、請求項７及び１１に記載の飲料自動販売機。
【請求項１３】
前記第３部材（３４）は、前記第２軸線（２５）を中心に回転し、且つ前記第１部材（１７）の前記混合ステーション（１４）へ及び前記混合ステーション（１４）からの移動は前記第３部材（３４）を前記閉位置へ及び前記閉位置から移動させるように、ジョイントによって前記第１部材（１７）に角度的に連結される、請求項４及び１２に記載の飲料自動販売機。
【請求項１４】
前記ジョイントは、前記第３部材（３４）に設けられた歯（４１）と、前記第１部材（１７）とともに前記第２軸線（２５）を中心に移動でき且つ前記歯（４１）によって摺動方法で係合されるスロット（３８）とを含む、請求項１３に記載の飲料自動販売機。
【請求項１５】
制御ユニット（３０）が前記駆動装置（１８）を制御するための中央制御ユニットと、前記第２軸線（２５）を中心とする前記第２部材（４２）の角度位置を示すための第１指示手段（５２、５３）とを含む、請求項４及び請求項５乃至１４の何れか１項に記載の飲料自動販売機。
【請求項１６】
前記第１指示手段（５２、５３）は、前記シャフト（２２）に取付けられた第３カム（５３）と、前記中央制御ユニットに連結され且つ前記第３カム（５３）によって作動されるスイッチ（５２）とを含む、請求項４及び請求項１５に記載の飲料自動販売機。
【請求項１７】
制御ユニット（３０）が、前記自動販売機（１）の開始位置或いは静止位置を示すために、第２指示手段（５４、５５）を含み、第２指示手段（５４、５５）は、前記シャフト（２２）に取付けられた第４カム（５５）と、前記中央制御ユニットに接続され且つ前記第４カム（５５）によって作動されるスイッチ（５４）とを含む、請求項１５又は１６に記載の飲料自動販売機。
【発明の詳細な説明】
【技術分野】
【０００１】
本発明は、飲料自動販売機に関する。
【０００２】
より具体的には、本発明は、外側からアクセスでき且つ飲料混合ステーションを有するピックアップコンパートメントと、混合ステーションで、コンパートメントに面する固定位置に配置された少なくとも１つの出口を有する飲料取出し手段と、カップを出口の下の位置に供給するための部材とを含むタイプの飲料自動販売機に関する。
【背景技術】
【０００３】
上記タイプの周知の自動販売機では、取出し手段の出口は、通常、コンパートメントの頂壁に形成された開口を通ってコンパートメントの内側と直接連通する。混合ステーションは、通常、使用者カップピックアップステーションとしても機能するので、開口は、外側から使用者によるアクセスを容易にするために配置され、それは取出し手段の出口が特に破壊行為にさらされることを意味する。
【発明の概要】
【０００４】
本発明の目的は、上記欠点を除去するように設計された上記タイプの飲料自動販売機を提供することにある。本発明によれば、請求項１に及び特に、請求項１に直接或いは間接的に従属する請求項のいずれか１つに記載されるような飲料自動販売機を提供する。
【０００５】
本発明の非限定的な実施形態を、添付図面を参照して、例示として記載する。
【図面の簡単な説明】
【０００６】
【図１】一部を明瞭のために除去した本発明による飲料自動販売機の好ましい実施形態の斜視図を示す。
【図２】図１の詳細の拡大分解斜視図を示す。
【図３】一部を明瞭のために置き換えたそれぞれ異なる運転形態での図１の詳細の概略平面図を示す。
【図４】一部を明瞭のために置き換えたそれぞれ異なる運転形態での図１の詳細の概略平面図を示す。
【図５】一部を明瞭のために置き換えたそれぞれ異なる運転形態での図１の詳細の概略平面図を示す。
【図６】一部を明瞭のために置き換えたそれぞれ異なる運転形態での図１の詳細の概略平面図を示す。
【図７】一部を明瞭のために除去したそれぞれの運転形態での図３の詳細の分解平面図を示す。
【図８】一部を明瞭のために除去したそれぞれの運転形態での図４の詳細の分解平面図を示す。
【図９】一部を明瞭のために除去したそれぞれの運転形態での図５の詳細の分解平面図を示す。
【図１０】一部を明瞭のために除去したそれぞれの運転形態での図６の詳細の分解平面図を示す。
【図１１】図３の詳細を示す図である。
【図１２】図４の詳細を示す図である。
【発明を実施するための形態】
【０００７】
図１の参照番号１は、飲料自動販売機を全体として示し、飲料自動販売機は、ドア３によって前が閉じられるケーシング２を含み、ドア３は、飲料選択押しボタンパネル４と、押しボタンパネル４の下に、使用者が選択した飲料の入ったカップ７を取り出せるように、ドア３の外面に形成され且つ通常透明な材料で作られたハッチ（図示せず）によって閉じられる開口６を通して外側からアクセスできるピックアップコンパートメント５とを有する。
【０００８】
コンパートメント５は、開口６からケーシング２の内方に延び、ほぼ平行六面体形状であり、横壁８、格子形態の底壁９、及びケーシング２の内側と連通する２つの貫通穴１１及び１２（図３）を有する頂壁１０によって構成される。
【０００９】
より具体的には、穴１１は、頂壁１０の後部分に形成され、且つ、カップ供給ステーション１３をコンパートメント５内に画成し、カップ７が、穴１１のところで頂壁１０の上に配置された貯蔵部（図示せず）内のスタック（図示せず）の底から、周知の供給装置（図示せず）によって１度に１つずつ引き出された後に、カップ供給ステーションを通してコンパートメント５に選択的に供給される。
【００１０】
他方、穴１２は、開口６の近くに配置され、且つコンパートメント５内に飲料混合ステーション１４を画成する。より具体的には、穴１２は、壁１０に形成され、且つ多数のノズル１６の出口１５に面し、該ノズルは、使用者の選択した飲料を作る液体及び/又は粉末製品を、ノズル１６によって取出すためのケーシング２の内部に収容された周知の生産ユニット（図示せず）の端部分を画成する。
【００１１】
カップ７をカップ供給ステーション１３から飲料混合ステーション１４に移送するために、自動販売機１は、頂壁１０のすぐ下に位置決めされ、横壁８からコンパートメント５の中心まで延び、且つコンパートメント５の内部で且つ頂壁１０の直下で、頂壁１０と平行なほぼ水平平面内で移動するように駆動装置１８によって、下記のように、作動される、カップホルダー１７を含む。
【００１２】
図２に示すように、駆動装置１８は自動販売機１の一部を形成し、コンパートメント５より上でケーシング２の内部に収容され、且つ固定底ハウジング１９と、底ハウジング１９にしっかり連結され且つ電気モーター減速機２１を収容する頂ハウジング２０とを含み、電気モーター減速機２１の出力シャフト２２は、頂ハウジング２０からほぼ垂直な回転軸線２３に沿って底ハウジング１９を貫いて延びる。
【００１３】
カップホルダー１７は、回転式の方法でピン２４に取付けられ、ピン２４は、軸線２３と平行な軸線２５と同軸の固定位置に、頂ハウジング２０及び底ハウジング１９を貫いて取付けられ、且つ底ハウジング１９から下方に突出する。より具体的には、カップホルダー１７は、カップホルダー１７と一体なスリーブ２６によってピン２４の底端部に取付けられ、且つピン２４に関して軸線方向に固定で角度的に自由な方法でピン２４に取付けられる。
【００１４】
より具体的には、カップホルダー１７は、スリーブ２６にしっかり連結され且つスリーブ２６からコンパートメント５の内方に延びるロッド２７と、ロッド２７の自由端と一体であり、軸線２３及び２５と交差する水平平面に在るＣ形部材２８と、を含み、Ｃ形部材２８は、駆動装置１８によって、Ｃ形部材２８が混合ステーション１４で穴１２に面して位置決めされる静止及び混合位置（図３及び図７）と、Ｃ形部材２８がカップ供給ステーション１３で穴１１に面して位置決めされるカップ受け位置（図４及び図８）との間で移動可能である。
【００１５】
したがって、Ｃ形部材２８は、カップ受け位置でカップ７と軸線方向に係合し、且つＣ形部材の内側横面から半径方向に突出する多数の突起２９によって、且つカップ７を垂直位置に保持するように形作られ且つ寸法決めされ、突起２９は、カップ７の切頭円錐形横壁又は外側半径方向端フランジと共動する。
【００１６】
Ｃ形部材２８は、また、静止及び混合位置で、使用者がカップ７をＣ形部材２８から横方向に取り出せる横開口を有する。
【００１７】
カップホルダー１７は、制御ユニット３０の中央制御ユニット（図示せず）（その操作を以下に詳細に記載する）の制御により、駆動装置１８によって、且つシャフト２２の自由端部分に取付けられ且つスリーブ２６に取付けられ、従ってカップホルダー１７と一体になっているカムフォロワ３３を制御するディスクカム３２を含む、カム伝動装置３１によって静止及び混合位置とカップ受け位置との間で回転される。
【００１８】
図１、２、１１及び１２に示すように、自動販売機１は、また、カップ７の貯蔵庫（図示せず）及び自動販売機１の内側の他の装置（図示せず）を破壊行為から保護するために、カップ７がコンパートメント５に供給されてきていない場合、穴１１を閉じ、従って、穴１１を通してケーシング２の内部へのアクセスを防止するためのシャッター３４を含む。
【００１９】
シャッター３４は、頂壁１０のすぐ上に配置され、穴１１よりも大きい涙形プレート３５と、プレート３５と一体であり、且つ、スリーブ２６が軸線２５を中心に回転するとき、プレート３５が穴１１に面して穴１１を閉じる通常閉位置（図３、７、１２）と、プレート３５が、カップ７を穴１１を通して落下させるように穴１１の外方に回転され、穴１１を開く開位置（図４、８、１１）の間でプレート３５を軸線２５を中心に回転させるためにスリーブ２６に連結された支持アーム３６とを含む。
【００２０】
より具体的には、図１１及び１２を参照すると、アーム３６の自由端は、軸線２５と同軸の穴３７を有し、該穴３７はロッド２７とカムフォロワ３３との間に介在されたスリーブ２６の部分に回転方法で取付けられ、スリーブの部分は、２つの半径方向ショルダー３９、４０によって横方向に境界付けされ、且つ、アーム３６と一体で且つ穴３７の内面から半径方向に突出する歯４１によって摺動方法で係合されるスロット３８を有する。
【００２１】
図１２及び７に示すように、シャッター３４は、カップホルダー１７が静止及び混合位置にあるとき、閉位置に設定され、閉位置では、歯４１はショルダー３９に接触する。
【００２２】
図１１及び８に示すように、スリーブ２６が、使用中、軸線２５を中心に反時計回りに回転するとき、カップホルダー１７は、静止及び混合位置から、（図１１の破線で示す）中間位置まで移動し、且つショルダー４０が、移動されて歯４１と接触し、シャッター３４をスリーブ２６に角度的に連結する。
【００２３】
この時点から、スリーブ２６のさらなる反時計回転で、カップホルダー１７を（図１１の実線で示す）受け位置に移動させ、軸線２５を中心にシャッター３４の開位置への等しい回転を生じさせる。同様に、スリーブ２６の回転の第１部分の後、ショルダー３９が、移動されて、歯４１と接触し、シャッター３４をスリーブ２６に角度的に連結するとき、シャッター３４が閉位置に戻される。
【００２４】
図１、２及び３に示すように、自動販売機１は、また、ノズル１６を保護するためのガード装置４２を含み、ガード装置は、且つ、ノズル１６が作動していないとき、穴１２を閉じて、穴１２を通してケーシング２の内部へのアクセスを防ぎ、且つノズル１６及び自動販売機１の内部の他の装置（図示せず）を破壊行為から保護する。
【００２５】
保護装置４２は、穴１２よりも大きく且つプレート３５上でノズル１６の出口１５の下に配置されたプレート４３と、支持アーム４４とを含み、支持アーム４４の自由端は、スリーブ２６より上で、ピン２４に回転方法で取付けられたスリーブ４５に穴で取付けられ、且つ、使用中、駆動装置１８によって軸線２５を中心に回転され、プレート４３が穴１２に面し且つ出口１５をコンパートメント５から分離する、穴１２を閉じる通常閉位置（図３及び図７）と、プレート４３が、出口１５、通常湯出口１５に面する穴１２の一部分のみを開く、穴１２を部分的に開く部分的開位置（図５）と、プレート４３が穴１２を完全に開き、全ての出口１５がコンパートメント５と直接連通する、穴１２を完全に開く完全開位置（図６及び図１０）との間で、保護装置４２を回転させる。
【００２６】
保護装置４２は、カム伝動装置３１を使って駆動装置１８によって上記閉位置と開位置との間で回転され、カム伝動装置３１は、カム３２と一体で且つカム３２とともにシャフト２２に取付けられ、軸線２３を中心に回転し且つアーム４４と軸線２５の反対側でアーム４４にしっかり連結されたカムフォロワー４７を制御するディスクカム４６を含む。
【００２７】
ノズル１６を保護する他に、保護装置４２は、また、取出す段階の後、出口１５から出るいかなる液体及び/又は粉末をも収集するのに役立つ。その目的のため、プレート４３は、出口１５に面する側に、プレート４３とともにトレイ４９を画成する隆起周囲縁４８を有し、トレイ４９は、プレート４３が閉位置にあるとき、プレート４３の穴５０を介して、頂壁１０内に形成された排出キャビティ５１と連通して液体をケーシング２の内部の取り外し可能コンテナ（図示せず）に排出する。
【００２８】
図２に示すように、中央制御ユニット（図示せず）に加えて、駆動装置１８を制御する制御ユニット３０は、また、カム３２と４６の間に介在され且つこれらと一体で、カム３２及び４６と共に軸線２３を中心に回転するディスクカム５３によって作動される取出しスイッチ５２を含む。
【００２９】
制御ユニット３０は、また、底ハウジング１９と頂ハウジング２０の間に配置され、且つシャフト２２に取付けられたディスクカム５５によって作動されるスタートスイッチ５４を含む。
【００３０】
自動販売機１の運転は、図３及び７に示す静止或いは開始形態より記載され、カップホルダー１７は空であり且つ混合ステーション１４で静止及び混合位置にあり、シャッター３４は穴１１を閉じる閉位置にあり、保護装置４２は穴１２を閉じる閉位置にあり、取出しスイッチ５２とスタートスイッチ５４の両方がオフである。
【００３１】
使用者が飲料を選択するとき、制御ユニット３０は、モーター減速機２１を作動して、シャフト２２、それゆえに、カム３２、４６、５３、５５を軸線２３を中心に回転させる。
【００３２】
より具体的には、図４及び８に示すように、カム５５の回転によって、スタートスイッチ５４を作動し、スタートスイッチ５４は、運転サイクルの開始を中央制御ユニット（図示せず）に合図し、カム３２の回転は、カムフォロワ３３によって、カップホルダー１７を供給ステーション１３に向かって軸線２５を中心に回転させ、かくして、同時に、上記のように、シャッター３４を穴１１を開く開位置に移動させ、カップホルダーは、受け位置で停止して、穴１１を通って下方に供給されるカップ７を受ける。
【００３３】
カム４６は、シャフト２２が連続的に回転するこの段階中、保護装置４２が、穴１２を閉じる閉位置のままであるように設計されている。取出しスイッチ５２はオフのままであり、且つスタートスイッチ５４はオンのままである。
【００３４】
図９に示すように、カップ７を受けたとき、カップホルダー１７は、シャフト２２の連続的な回転及びカム３２の設計によって、静止及び混合位置に戻され、かくして同時に、シャッター３４を、穴１１を閉じる閉位置に戻す。
【００３５】
この時点では、カムフォロワー４７に作用するカム４６は、保護装置４２を軸線２５を中心に穴１２を開く開位置に回転させ、同時に、カム５３が取出しスイッチ５２を作動する。
【００３６】
スイッチ５２が作動された後、制御ユニット３０は、モーター減速機２１を選択された飲料のタイプに応じた所定の時間間隔の間運転し続ける。モーター減速機２１がオフにされる、時間間隔の長さは、実際、保護装置４２の部分的或いは全開位置を決定し、従って、選択された飲料を取出すのに関係した出口１５のみがコンパートメント５と連通する。
【００３７】
いったん飲料が取出されると、モーター減速機２１が再び始動する。カム４６は、保護装置４２を閉位置に移動させ、カム５３が取出しスイッチ５２をオフにし、且つカム５５がスタートスイッチ５４をオフにし、スタートスイッチ５４は、運転サイクルの完了、及びモーター減速機２１をオフにすることができることを中央制御ユニット（図示せず）に指示する。その時点で、使用者が、静止及び混合位置に静止しているカップホルダー１７からカップ７を、取出すことができる。
【図１】
2011522311.tif 000003
【図２】
2011522311.tif 000004
【図３】
2011522311.tif 000005
【図４】
2011522311.tif 000006
【図５】
2011522311.tif 000007
【図６】
2011522311.tif 000008
【図７】
2011522311.tif 000009
【図８】
2011522311.tif 000010
【図９】
2011522311.tif 000011
【図１０】
2011522311.tif 000012
【図１１】
2011522311.tif 000013
【図１２】
2011522311.tif 000014
【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
外側からアクセスでき且つ飲料混合ステーション（１４）を有するピックアップコンパートメント（５）と、前記ピックアップコンパートメント（５）に面する固定位置で前記混合ステーション（１４）に配置された少なくとも１つの出口（１５）を有する飲料取出し手段（１６）と、カップ（７）を前記出口（１５）の下の位置に供給するための第１部材（１７）と、前記出口（１５）を保護するための保護部材であり、且つ、前記出口（１５）を通り越し且つ前記第１部材（１７）に関して、前記出口（１５）を前記ピックアップコンパートメント（５）から分離するカットオフ位置へ及びカットオフ位置から移動できる第２部材（４２）と、駆動装置（１８）と、前記第２部材（４２）を前記カットオフ位置へ及びカットオフ位置から移動させるために、前記駆動装置（１８）と前記第２部材（４２）との間に介在された伝動手段（３１）とを含み、前記伝動手段（３１）はカム伝動手段であることを特徴とする、飲料自動販売機。
【請求項２】
前記駆動装置（１８）は、第１軸線（２３）を中心に回転する出力シャフト（２２）を含み、前記第２部材（４２）は、前記第１軸線（２３）に平行な第２軸線（２５）を中心に回転し、前記伝動手段（３１）は、前記シャフト（２２）に取付けられた第１カム（４６）と、前記第２部材（４２）と一体で且つ前記第２部材（４２）を、前記第１軸線（２３）を中心とする前記第１カム（４６）の角度位置の関数として、前記第２軸線（２５）を中心に、前記カットオフ位置へ及び前記カットオフ位置から移動させるために前記第１カム（４６）と共動する第１カムフォロワー（４７）とを含む、請求項１に記載の飲料自動販売機。
【請求項３】
前記第１部材（１７）は、１度に１つのカップ（７）を前記出口（１５）の下の位置に供給するために、前記ピックアップコンパートメント（５）の内部で、前記混合ステーション（１４）へ及び前記混合ステーション（１４）から移動できる、請求項１又は２に記載の飲料自動販売機。
【請求項４】
前記第１部材（１７）は、前記第２軸線（２５）を中心に回転し、前記伝動手段（３１）は、前記シャフト（２２）に取付けられた第２カム（３２）と、前記第１部材（１７）を、前記第１軸線（２３）を中心とする前記第２カム（３２）の角度位置の関数として、前記第２軸線（２５）を中心に、前記混合ステーション（１４）とカップ受入れステーション（１３）の間を移動させるように、前記第１部材（１７）と一体の第２カムフォロワー（３３）とを含む、請求項２及び３に記載の飲料自動販売機。
【請求項５】
前記ピックアップコンパートメント（５）は、第１開口（１２）を有する頂壁（１０）を含み、前記出口（１５）は第１開口（１２）を通して前記ピックアップコンパートメント（５）と連通し、前記第２部材（４２）は、前記第１開口（１２）を閉じる閉位置へ及び閉位置から移動でき、請求項１乃至４の何れか１項に記載の飲料自動販売機。
【請求項６】
前記第２部材（４２）は、前記第１開口（１２）よりも大きく、且つ前記頂壁（１０）と実質的に平行な平面で、閉位置へ及び閉位置から移動できる閉鎖体（４３）を含む、請求項５に記載の飲料自動販売機。
【請求項７】
前記閉鎖体（４３）は、カップ形であり、且つ取出し操作が完了すると、前記出口（１５）から出るいかなる物質をも収集するためのトレイ（４９）を画成するために、凹面が前記出口（１５）に面して位置決めされ、前記トレイ（４９）は前記収集された物質を排出するための貫通穴（５０）を有する、請求項６に記載の飲料自動販売機。
【請求項８】
前記第２部材（４２）は、前記頂壁（１０）の前記ピックアップコンパートメント（５）と反対側に配置される、請求項５乃至７の何れか１項に記載の飲料自動販売機。
【請求項９】
前記ピックアップコンパートメント（５）は、前記カップ（７）を前記ピックアップコンパートメント（５）にアクセス可能にするアクセス開口（１１）を含み、前記自動販売機（１）は、前記アクセス開口（１１）を閉じる閉位置へ及び閉位置から移動できる第３部材（３４）を含む、請求項１乃至８の何れか１項に記載の飲料自動販売機。
【請求項１０】
前記アクセス開口（１１）は、前記頂壁（１０）に形成された第２開口である、請求項５及び９に記載の飲料自動販売機。
【請求項１１】
前記第３部材（３４）は、前記第２軸線（２５）を中心に回転し、且つ前記第１部材（１７）の前記混合ステーション（１４）へ及び前記混合ステーション（１４）からの移動は前記第３部材（３４）を前記閉位置へ及び前記閉位置から移動させるように、ジョイントによって前記第１部材（１７）に角度的に連結される、請求項２及び１０に記載の飲料自動販売機。
【請求項１２】
前記ジョイントは、前記第３部材（３４）に設けられた歯（４１）と、前記第１部材（１７）とともに前記第２軸線（２５）を中心に移動でき且つ前記歯（４１）によって摺動方法で係合されるスロット（３８）とを含む、請求項１１に記載の飲料自動販売機。
【請求項１３】
制御ユニット（３０）が前記駆動装置（１８）を制御するための中央制御ユニットと、前記第２軸線（２５）を中心とする前記第２部材（４２）の角度位置を示すための第１指示手段（５２、５３）とを含む、請求項２及び請求項３乃至１２の何れか１項に記載の飲料自動販売機。
【請求項１４】
前記第１指示手段（５２、５３）は、前記シャフト（２２）に取付けられた第３カム（５３）と、前記中央制御ユニットに連結され且つ前記第３カム（５３）によって作動されるスイッチ（５２）とを含む、請求項２及び請求項１３に記載の飲料自動販売機。
【請求項１５】
制御ユニット（３０）が、前記自動販売機（１）の開始位置或いは静止位置を示すために、第２指示手段（５４、５５）を含み、第２指示手段（５４、５５）は、前記シャフト（２２）に取付けられた第４カム（５５）と、前記中央制御ユニットに接続され且つ前記第４カム（５５）によって作動されるスイッチ（５４）とを含む、請求項１３又は１４に記載の飲料自動販売機。
【手続補正２】
【補正対象書類名】明細書
【補正対象項目名】０００２
【補正方法】変更
【補正の内容】
【０００２】
より具体的には、本発明は、外側からアクセスでき且つ飲料混合ステーションを有するピックアップコンパートメントと、混合ステーションで、コンパートメントに面する固定位置に配置された少なくとも１つの出口を有する飲料取出し手段と、カップを出口の下の位置に供給するための部材と、出口を保護するための保護部材であり、且つ、出口を通り越し且つ第１部材に関して、出口をピックアップコンパートメントから分離するカットオフ位置へ及びカットオフ位置から移動できる第２部材と、駆動装置と、第２部材をカットオフ位置へ及びカットオフ位置から移動させるために、駆動装置と第２部材との間に介在された伝動手段とを含むタイプの飲料自動販売機に関する。
【手続補正３】
【補正対象書類名】明細書
【補正対象項目名】０００３
【補正方法】変更
【補正の内容】
【０００３】
このタイプの自動販売機は、例えば、特開第02081297号明細書に開示される。
上記タイプの周知の自動販売機は、自動販売機自身のシンプルさ及び製造コストを損なう極めて嵩だかであるという欠点に苦しむ。
【国際調査報告】
2011522311.tif 000015
2011522311.tif 000016